(57)【要約】【課題】バッテリの充電動作を簡単かつ安定して行うことのできる電子機器を提供する。【解決手段】ヘッドセット２０は無線通信デバイス５８と充電可能なバッテリ５１を備える。バッテリ５１の充電時に電源ケーブル５３を電源コネクタ２０５に接続すると、その状態が電源コネクタ状態検出部５６にて検出される。このとき、無線通信デバイス５８を通じて他の機器との間で通信中であれば、その通信の切断処理が実行された後、ＣＰＵ５４がオフして動作停止状態となる。このように、電源ケーブル５３を接続するだけで、当該機器の動作を停止状態に切り替えて、バッテリ５１の充電動作を簡単かつ安定して行うことができる。【選択図】    図２
2004236463.tif 000002
【特許請求の範囲】
【請求項１】
他の機器に無線接続可能な通信機能を備えた電子機器において、
充電可能なバッテリと、
このバッテリを充電するための電源ケーブルと、
この電源ケーブルの接続状態を検出する接続検出手段と、
この接続検出手段によって上記電源ケーブルの接続が検出された場合に、当該機器の動作を停止制御する制御手段と
を具備したことを特徴とする電子機器。
【請求項２】
上記制御手段は、
上記接続検出手段によって上記電源ケーブルの接続が検出された場合に、上記他の機器に無線接続しているか否かを判断する通信判断手段を備え、
この通信判断手段によって上記他の機器に無線接続しているものと判断された場合に、その無線接続を切断した後、当該機器の動作を停止制御することを特徴とする請求項１記載の電子機器。
【請求項３】
他の機器に無線接続可能な通信機能を備えた電子機器において、
充電可能なバッテリと、
電源スイッチと、
この電源スイッチがオン操作された場合に、上記バッテリが充電中であるか否かを判断する充電判断手段と、
この充電判断手段によって上記バッテリが充電中であると判断された場合に、上記電源スイッチのオン操作によって起動される当該機器の動作を停止制御する制御手段と
を具備したことを特徴とする電子機器。
【請求項４】
上記バッテリの装着状態を検出する装着検出手段を備え、
上記制御手段は、上記装着検出手段によって上記バッテリの装着が検出された場合のみ上記電源スイッチのオン操作によって起動される当該機器の動作を停止制御することを特徴とする請求項３記載の電子機器。
【請求項５】
バッテリを充電するための電源ケーブルと、
この電源ケーブルの接続状態を検出する接続検出手段とを備え、
上記充電判断手段は、上記接続検出手段によって検出される上記電源ケーブルの接続状態に基づいて上記バッテリが充電中であるか否かを判断することを特徴とする請求項３記載の電子機器。
【請求項６】
他の機器に無線接続可能な通信機能を備えた電子機器に用いられる充電可能なバッテリの充電制御方法であって、
上記バッテリを充電するための電源ケーブルの接続状態を検出し、
上記電源ケーブルの接続が検出された場合に、当該機器の動作を停止制御することを特徴とするバッテリ充電制御方法。
【請求項７】
上記電源ケーブルの接続が検出された場合に、上記他の機器に無線接続しているか否かを判断し、
上記他の機器に無線接続しているものと判断された場合に、その無線接続を切断した後、当該機器の動作を停止制御することを特徴とする請求項６記載のバッテリ充電制御方法。
【請求項８】
他の機器に無線接続可能な通信機能を備えた電子機器に用いられる充電可能なバッテリの充電制御方法であって、
電源スイッチがオン操作された場合に、上記バッテリが充電中であるか否かを判断し、
上記バッテリが充電中であると判断された場合に、上記電源スイッチのオン操作によって起動される当該機器の動作を停止制御することを特徴とするバッテリ充電制御方法。
【請求項９】
上記バッテリが充電中であると判断された場合に、上記バッテリの装着状態を検出し、
上記バッテリの装着が検出された場合のみ上記電源スイッチのオン操作によって起動される当該機器の動作を停止制御することを特徴とする請求項８記載のバッテリ充電制御方法。
【請求項１０】
上記バッテリを充電するための電源ケーブルの接続状態に基づいて上記バッテリが充電中であるか否かを判断することを特徴とする請求項８記載のバッテリ充電制御方法。
【発明の詳細な説明】
【０００１】
【発明の属する技術分野】
本発明は、他の機器に無線接続可能な通信機能を備えた電子機器に係り、特に充電可能なバッテリにて駆動される電子機器およびバッテリ充電制御方法に関する。
【０００２】
【従来の技術】
近年、無線通信技術としてＢｌｕｅｔｏｏｔｈ（Ｒ）が注目されている。Ｂｌｕｅｔｏｏｔｈ（Ｒ）は低価格、低消費電力で、モバイル機器に適した、近距離の無線通信技術である。用途としては、ユーザ各個人個人が所有するさまざまなモバイル情報機器を相互に接続するために使われる。機器間は無線接続されるので、従来の有線による接続に比較して、自由、簡単、手軽に様々な機器同士を接続することができる。
【０００３】
無線通信を利用したシステムの１つとして、音楽プレーヤなどの電子機器から、ヘッドフォンなどの他の電子機器に対して音楽データを無線信号によって送信するシステムが知られている（例えば、特許文献１参照。）。この種のシステムに用いられる電子機器の多くは、携帯型機器としてバッテリを内蔵し、充電可能な手段を備えている。
【０００４】
【特許文献１】
特開２００２−１１２３８３号公報（第５−６頁、第４図）
【０００５】
【発明が解決しようとする課題】
上述したように、無線通信を利用したシステムに用いられる電子機器の多くは充電可能なバッテリを備えている。この種の電子機器において、バッテリの充電を安全に行うためには、電源をオフにして機器の動作を停止しておくことが好ましい。これは、機器が動作中であると、その間の電力消費により充電時間が長くなることや、電圧低下により動作不良となる可能性があるからである。しかしながら、無線通信中にバッテリの充電が必要になった場合、まず、通信スイッチをオフ操作して通信を終了してから、電源スイッチをオフ操作して機器の電源を落とすといった操作をユーザ自身が行わなければならず、非常に煩わしい。
【０００６】
また、バッテリ充電中に機器の電源をオンした場合、そのときにバッテリが起動電源以上に充電されていれば、ＣＰＵは起動する。しかし、起動時にはかなりの電力を消費するので、電源オンによりＣＰＵが起動しても直ぐに電圧が低下してしまい、動作不良となる。あるいは、起動後に他の機器から通信の接続要求があったり、当該機器の通信接続スイッチが操作されると、接続プロトコルの起動により電力がかなり消費されるため、直ぐに電圧が低下してしまい、上記同様に動作不良となる。このように、バッテリ充電中は非常に不安定であり、動作不良の原因にもなるため、電源をオンしないことが望ましい。
【０００７】
本発明は上記の問題を解決するためになされたものであり、バッテリの充電動作を簡単かつ安定して行うことのできる電子機器およびバッテリ充電制御方法を提供することを目的とする。
【０００８】
【課題を解決するための手段】
本発明は、他の機器に無線接続可能な通信機能を備えた電子機器において、充電可能なバッテリと、このバッテリを充電するための電源ケーブルと、この電源ケーブルの接続状態を検出する接続検出手段と、この接続検出手段によって上記電源ケーブルの接続が検出された場合に、当該機器の動作を停止制御する制御手段とを具備して構成される。
【０００９】
また、本発明は、他の機器に無線接続可能な通信機能を備えた電子機器において、充電可能なバッテリと、電源スイッチと、この電源スイッチがオン操作された場合に、上記バッテリが充電中であるか否かを判断する充電判断手段と、この充電判断手段によって上記バッテリが充電中であると判断された場合に、上記電源スイッチのオン操作によって起動される当該機器の動作を停止制御する制御手段とを具備して構成される。
【００１０】
このような構成によれば、バッテリの充電動作を安定して行うことができる。
【００１１】
【発明の実施の形態】
以下、図面を参照して本発明の一実施形態を説明する。
【００１２】
図１は本発明の一実施形態に係る電子機器を用いた無線通信システムの構成を示す図であり、２つの電子機器１０、２０が互いに無線通信によって接続されている状態を示している。
【００１３】
電子機器１０は、音楽などのコンテンツデータをストリームとして電子機器２０に無線信号によって送信可能な装置である。ここでは、一方の電子機器１０を携帯型のオーディオプレーヤによって実現し、また、他方の電子機器２０をワイヤレスヘッドセットによって実現した場合を想定する。ヘッドセット２０は、ヘッドフォンとマイクを備えた機器であって、ここではオーディオプレーヤ１０からストリームとして送信される音楽等のオーディオデータを再生する出力装置として機能すると共に、ユーザの音声データを入力するための入力装置として機能する。
【００１４】
図１に示すように、オーディオプレーヤ１０は、システム制御部３１、送信データ生成部３２、無線通信デバイス３３、オーディオデータ記憶部３４、ステータスデータベース３５、およびユーザインタフェース３６を備えている。
【００１５】
システム制御部３１はオーディオプレーヤ１０の動作を制御するために設けられたプロセッサであり、送信データ生成部３２、無線通信デバイス３３等をそれぞれ制御する。送信データ生成部３２は、音楽等の再生対象のオーディオデータをオーディオデータ記憶部３４から読み出し、その読み出したオーディオデータから送信用のデジタルオーディオストリームを生成する。このオーディオストリームはシステム制御部３１を介して無線通信デバイス３３に送られ、そして無線信号によってヘッドセット２０に送信される。
【００１６】
無線通信デバイス３３は、ヘッドセット２０との間の無線通信を実行するデバイスであり、例えばＢｌｕｅｔｏｏｔｈ（Ｒ）の規格に準拠した手順で無線通信を実行する。この無線通信デバイス３３は、音楽等のオーディオデータを無線信号によってヘッドセット２０にストリームとして送信するために用いられる。
【００１７】
Ｂｌｕｅｔｏｏｔｈ（Ｒ）は近距離無線通信の規格であり、例えば２．４５ＧＨｚのＩＳＭ（Ｉｎｄｕｓｔｒｉａｌ  Ｓｃｉｅｎｔｉｆｉｃ  Ｍｅｄｉｃａｌ）帯の無線電波を用いて約１０ｍの無線通信を実現するものである。Ｂｌｕｅｔｏｏｔｈ（Ｒ）においては、マスタとそれに無線接続された１以上のスレーブとの間で無線通信を実行するというマスタ・スレーブ形式が用いられている。オーディオプレーヤ１０とヘッドセット２０との間の通信においては、オーディオプレーヤ１０がマスタとして機能し、ヘッドセット２０がスレーブとして機能する。
【００１８】
なお、Ｂｌｕｅｔｏｏｔｈ（Ｒ）においては、音楽等のオーディオデータのストリーミング再生を行うためのプロファイルとして、Ａｄｖａｎｃｅｄ  Ａｕｄｉｏ  Ｄｉｓｔｒｉｂｕｔｉｏｎ  Ｐｒｏｆｉｌｅ（Ａ２ＤＰ）が規定されている。オーディオプレーヤ１０はオーディオのストリームデータを送信する送信元装置（Ｂｌｕｅｔｏｏｔｈ（Ｒ）においてはｓｏｒｃｅデバイスと称される）として機能し、ヘッドセット２０はオーディオのストリームデータの送信先となる送信先機器（Ｂｌｕｅｔｏｏｔｈ（Ｒ）においてはｓｉｎｋデバイスと称される）として機能する。
【００１９】
無線通信デバイス３３は、図示のように、ＲＦ部１０１、デジタルデータ変調部１０２、およびデジタルデータ復調部１０３を備えている。デジタルデータ変調部１０２およびデジタルデータ復調部１０３はベースバンド処理部として機能する。
【００２０】
オーディオデータ記憶部３４はオーディオデータを記憶するための不揮発性記憶装置であり、例えば、メモリカード、ハードディスクドライブなどから構成されている。このオーディオデータ記憶部３４は、音楽等の複数のオーディオデータを記憶することができる。
【００２１】
ステータスデータベース３５は、オーディオプレーヤ１０とヘッドセット２０との間の無線接続の切断によって送信が中断されたオーディオデータに関するステータス情報を記憶するためのデータベースである。ステータスデータベース３５は、オーディオデータ記憶部３４と同一の不揮発性記憶装置上、または異なる不揮発性記憶装置上に構築される。ステータスデータベース３５に記憶されたステータス情報は、無線接続の切断によって中断されたオーディオデータの送信処理を自動的に再開するために用いられる。
【００２２】
中断されたオーディオデータの送信を再開するために、システム制御部３１は、ステータスデータ管理部４１および送信再開制御部４２を備えている。ステータスデータ管理部４１は、オーディオプレーヤ１０からヘッドセット２０へのオーディオデータの送信中にオーディオプレーヤ１０とヘッドセット２０との間の無線接続が切断された時、その切断によって送信が中断されたオーディオデータに関するステータスデータをステータスデータベース３５に保存する。送信再開制御部４２は、切断によってオーディオデータの送信が中断されたヘッドセット２０と同一のヘッドセットがオーディオプレーヤ１０に無線接続された時に、ステータスデータベース３５に保存されたステータスデータに基づいて、中断されたオーディオデータの送信を再開する。
【００２３】
システム制御部３１は、さらに、エラーが検出されたデータを再送するという再送訂正方式を実現するために、再送制御部４３を備えている。この再送制御部４３は、ヘッドセット２０によって誤りが検出されたデータと同一のデータをヘッドセット２０に再送信する。この再送信は、オーディオプレーヤ１０からヘッドセット２０へのオーディオデータの送信処理の中で実行される手順である。ユーザインタフェース３６は、ユーザが操作可能な操作スイッチおよび表示モニタなどから構成されている。
【００２４】
一方、ヘッドセット２０は、オーディオプレーヤ１０から無線信号によって送信されるオーディオデータを再生して、そのオーディオデータに対応する音を発生する出力装置と、ユーザの音声を入力する入力装置とで構成される。
【００２５】
図１に示すように、ヘッドセット２０は、ユーザの頭部に装着可能な構造を有する。このヘッドセット２０は、図示のように、ヘッドアーム２０１と、その両端にそれぞれ設けられた２つのパッド２０２，２０３と、一方のパッド２０２から延出されたマイクユニット２０４とを備える。２つのパッド２０２，２０３にはそれぞれスピーカが内蔵され、マイクユニット２０４にはマイクが内蔵されている。
【００２６】
ヘッドセット２０がユーザの頭部に装着された状態において、２つのパッド２０２，２０３はユーザの左右の耳をそれぞれ覆う。パッド２０２の外面には、電源スイッチ２１、再生ボタン２２、停止ボタン２３、先送りボタン２４、逆戻しボタン２５、および通信スイッチ２６が設けられている。
【００２７】
電源スイッチ２１は、ヘッドセット２０の電源をオンまたはオフするためのスイッチである。再生ボタン２２、停止ボタン２３、先送りボタン２４、逆戻しボタン２５は、それぞれオーディオプレーヤ１０のオーディオ再生動作を制御するための操作スイッチである。ユーザは、ヘッドセット２０の再生ボタン２２、停止ボタン２３、先送りボタン２４、および逆戻しボタン２５を操作することにより、またはオーディオプレーヤ１０のユーザインタフェース３６を操作することによって、オーディオプレーヤ１０のオーディオ再生動作を制御することができる。通信スイッチ２６は、オーディオプレーヤ１０との間の無線通信の開始または終了を指示するためのスイッチである。
【００２８】
また、ヘッドセット２０は、充電可能なバッテリ５１（図２参照）を備えている。パッド２０３の外面には、このバッテリ５１を充電する場合になどに用いられる電源ケーブル５３（図２参照）を接続するための電源コネクタ２０５が設けられている。
【００２９】
通常、無線通信中にバッテリ５１の充電が必要となった場合、ユーザは、まず、通信スイッチ２６を操作して通信を終了し、次に電源スイッチ２１を操作してヘッドセット２０の電源をオフした後、電源コネクタ２０５に電源ケーブル５３を接続するといった一連の操作が必要である。本発明においては、これらの一連の操作は不要であり、ユーザは電源コネクタ２０５に電源ケーブル５３を接続するだけで、バッテリ５１の充電を行うことができる。
【００３０】
図２にヘッドセット２０の内部構成を示す。
【００３１】
ヘッドセット２０には、上述した操作スイッチ２１〜２６の他に、充電可能なバッテリ５１、バッテリ充電回路５２、ＣＰＵ５４、バッテリ状態検出部５５、電源コネクタ状態検出部５６、スイッチ状態検出部５７、無線通信デバイス５８、メモリ５９、ＡＤ／ＤＡ変換・アンプ回路６０、スピーカ６１、マイク６２などが設けられている。
【００３２】
バッテリ５１は、ＣＰＵ５４を含む各デバイスの駆動に必要な電力を供給する。バッテリ充電回路５２は、電源コネクタ２０５に電源ケーブル５３が接続された状態でバッテリ５１を充電するための回路である。また、バッテリ５１はヘッドセット２０の機器本体に対して着脱可能な構造を有しており、このバッテリ５１が外された状態では、電源コネクタ２０３からバッテリ充電回路５２を介して各デバイスに対する電源供給がなされる。
【００３３】
バッテリ状態検出部５５は、バッテリ５１の電源供給能力と着脱状態を検出する。電源コネクタ状態検出部５６は、電源コネクタ２０５に電源ケーブル５３が接続されているか否かを検出する。スイッチ状態検出部５７は、操作スイッチ２１〜２６のそれぞれの操作状態を検出するものであり、特にここでは電源スイッチ２１と通信スイッチ２６の操作状態（オン／オフ）を検出する場合に用いられる。
【００３４】
ＣＰＵ５４は、ヘッドセット２０の動作を制御するために設けられたプロセッサであり、メモリ５９に格納されたプログラムを読み込むことにより、そのプログラムに記述されて手順に従って所定の処理を実行する。
【００３５】
無線通信デバイス５８は、オーディオプレーヤ１０の無線通信デバイス３３と同じく、ＲＦ部、デジタルデータ変調部およびデジタルデータ復調部を備えており、Ｂｌｕｅｔｏｏｔｈ（Ｒ）の規格に準拠した手順で無線通信を実行する。つまり、本実施形態において、オーディオプレーヤ１０とヘッドセット２０はそれぞれにＢｌｕｅｔｏｏｔｈ（Ｒ）の対応機器であり、所定の通信範囲内で互いに無線通信を行うことができる。
【００３６】
この無線通信デバイス５８は、オーディオプレーヤ１０から無線信号によって送信される音楽等のオーディオデータを受信するために用いられる。また、無線通信デバイス５８は、再生ボタン２２、停止ボタン２３、先送りボタン２４、および逆戻しボタン２５の操作に応じて各種再生制御信号をオーディオプレーヤ１０に送信する処理等にも利用される。さらに、マイク６２を通じて入力された音声信号をオーディオプレーヤ１０を含む他の機器に対して送信する処理等にも利用される。音声信号をオーディオプレーヤ１０に対して送信するものとした場合には、例えば「再生」、「停止」、「先送り」、「逆戻し」といったオーディオ再生操作をユーザの音声にて実現する。
【００３７】
メモリ５９には、プログラムなどの他に、ＣＰＵ５４が処理するデータが格納される。オーディオプレーヤ１０からの音楽等のオーディオデータも無線通信デバイス５８にて受信された後に、このメモリ５９に一旦バッファされる。この場合、受信データは一般的に符号化されているため、ＣＰＵ５４によって復号し、その復号化したデータをＡＤ／ＤＡ変換・アンプ回路６０を介してスピーカ６１から再生することになる。また、マイク６２から入力された音声信号はＡＤ／ＤＡ変換・アンプ回路６０を介してＣＰＵ５４に与えられ、ここで所定の方式で符号化された後に無線通信デバイス５８により無線送信される。スピーカ６１はヘッドセット２０のパッド２０２，２０３のそれぞれに内蔵されており、マイク６２はマイクユニット２０４に内蔵されている。
【００３８】
このような構成のヘッドセット２０にあっては、例えば無線通信中にバッテリ５１の充電が必要となった場合、その状態はバッテリ状態検出部５５にて電源供給能力不足の状態として検出される。ＣＰＵ５４は、このバッテリ状態検出部５５からその旨の検出信号を受けることにより、例えばスピーカ６１を通じてユーザに充電の必要性を促す。
【００３９】
ここで、ユーザが電源コネクタ２０５に電源ケーブル５３を接続すると、電源コネクタ状態検出部５６にてその接続状態が検出される。ＣＰＵ５４は、この電源コネクタ状態検出部５６からその旨の検出信号を受けることにより、通信スイッチ２６の操作による通信終了の指示があった場合と同じ通信切断処理を行うと共に、電源スイッチ２１の操作による電源オフの指示があった場合と同じ動作停止処理を行う。このように、電源ケーブル５３を接続するだけで、バッテリ５１の充電動作に必要な状態に自動的に切り替えられるので、バッテリ５１の充電動作を簡単かつ安定して行うことが可能となる。
【００４０】
また、バッテリ充電中に電源スイッチ２１が押されると、ＣＰＵ５４が起動する。その際、電源コネクタ状態検出部５６にて電源ケーブル５３が電源コネクタ２０５に接続された状態が検出され、その旨の検出信号がＣＰＵ５４に与えられる。ＣＰＵ５４はこの検出信号を受けることにより、オフ状態に切り替わる。このように、バッテリ充電中に電源スイッチ２１が押された場合でも、動作停止状態を維持することができる。
【００４１】
また、バッテリ５１が未装着の場合には、バッテリ状態検出部５５にてその状態か検出され、その旨の検出信号がＣＰＵ５４に与えられる。ＣＰＵ５４はこの検出信号を受けることにより、そのままオン状態を維持する。このように、バッテリ５１を外して電源ケーブル５３を使用している場合には、ＣＰＵ５４はオン状態のままであり、ヘッドセット２０としての機能を利用することができる。
【００４２】
以下に、このようなヘッドセット２０の動作について、図３および図４を参照して説明する。
【００４３】
（ａ）バッテリ５１の充電時の動作
図３はヘッドセット２０におけるバッテリ５１の充電時の動作を示すフローチャートである。
【００４４】
ヘッドセット２０に装着されたバッテリ５１の電圧が所定値以下に低下すると、その状態がバッテリ状態検出部５５にて検出され、例えば「バッテリを充電して下さい」といったような音声メッセージがスピーカ６１を通じて出力される。この音声メッセージに従って、ユーザはヘッドセット２０に設けられた電源コネクタ２０５に電源ケーブル５３を接続してバッテリ５１を充電することになる。
【００４５】
ここで、電源コネクタ２０５に電源ケーブル５３が接続されると（ステップＡ１１のＹｅｓ）、その接続状態が電源コネクタ状態検出部５６によって電気的あるいは機械的に検出される。ＣＰＵ５４はこの電源コネクタ状態検出部５６を通じて電源ケーブル５３が接続されたことを検出すると、バッテリ５１に対する充電動作が開始されるものと判断する。なお、バッテリ５１の充電動作はＣＰＵ５４の処理とは無関係に実行される。
【００４６】
その際、ヘッドセット２０に備えられた無線通信デバイス５８により通信相手であるオーディオプレーヤ１０と通信中である場合には（ステップＡ１２のＹｅｓ）、ＣＰＵ５４はそのオーディオプレーヤ１０との間で確立されている物理的な無線接続（リンク）を切断するための通信切断処理を実行する（ステップＡ１３）。このとき、例えばオーディオプレーヤ１０からオーディオデータを受信中であれば、そのオーディオデータの受信終了を待ってからリンクの切断を行うことが好ましい。
【００４７】
このような通信切断処理の後、ＣＰＵ５４がオフ状態に切り替えられる（ステップＡ１４）。ＣＰＵ５４がオフ状態に切り替えられるとは、ヘッドセット２０の電源を切った状態、つまり、ヘッドセット２０の動作（充電動作を除く）が停止した状態になることである。
【００４８】
このように、無線通信中にバッテリ５１の充電が必要となった場合に、ユーザによる通信切断や電源オフの操作を必要とせずに、バッテリ５１の充電動作に必要な環境を整え、その環境下で充電動作を安定して行うことができる。
【００４９】
なお、上記ステップＡ１３において、オーディオプレーヤ１０との通信中に無線接続（リンク）が切断され、オーディオプレーヤ１０からのオーディオデータが途中で中断された場合には、データ送信側であるオーディオプレーヤ１０のステータスデータベース３５に、そのときに中断されたオーディオデータに関するステータス情報（相手側機器ＩＤ、アルバムＩＤ、曲ＩＤ、既演奏時間等）が記憶される。そして、無線接続が新たに確立されたときに、そのステータスデータベース３５に記憶されたステータス情報に基づいて、中断されたオーディオデータの送信が再開される。これにより、ユーザはオーディオ再生再開のための特別な操作を行うことなく、オーディオデータの再生を再開することができる。
【００５０】
（ｂ）バッテリ充電中に電源スイッチ２１が押された場合の動作
図４はヘッドセット２０におけるバッテリ充電中に電源スイッチ２１が押された場合の動作を示すフローチャートである。
【００５１】
電源スイッチ２１がオン操作されると（ステップＢ１１）、ＣＰＵ５４が起動して、ヘッドセット２０が動作状態となる（ステップＢ１２）。その際、ＣＰＵ５４は電源コネクタ状態検出部５６を通じて電源コネクタ２０５に電源ケーブル５３が接続されているか否かを判断する（ステップＢ１３）。
【００５２】
ここで、電源コネクタ２０５に電源ケーブル５３が接続されている場合（ステップＢ１３のＹｅｓ）、次にＣＰＵ５４はバッテリ状態検出部５５を通じてバッテリ５１がヘッドセット２０に装着されているか否かを判断する（ステップＢ１４）。このステップＢ１４の処理は、バッテリ５１なしで、電源ケーブル５３から直接電源の供給を得て動作している状況を考慮したものである。
【００５３】
バッテリ５１がヘッドセット２０に装着されていれば（ステップＢ１４のＹｅｓ）、ＣＰＵ５４はバッテリ５１の充電中に電源スイッチ２１がオン操作されたものと判断し、直ちにオフ状態に移行する（ステップＢ１５）。つまり、電源オンの状態を直ぐに解除して、電源オフ状態に戻す。
【００５４】
一方、電源スイッチ２１がオン操作されても、そのときに電源ケーブル５３が接続されていない場合（ステップＢ１３のＮｏ）、あるいは、バッテリ５１がヘッドセット２０に装着されていない場合には（ステップＢ１４のＹｅｓ）、バッテリ５１の充電は関係ないことになるので、ＣＰＵ５４はそのままオン状態を維持し、通常の処理を継続的に実行する（ステップＢ１６、Ｂ１７…）。通常の処理とは、例えば通信スイッチ２６がオン操作された場合に、通信相手であるオーディオプレーヤ１０に無線接続して通信を開始するなどである。
【００５５】
このように、電源スイッチ２１がオン操作された場合に、バッテリ５１が充電中であれば、直ぐにオフ状態に切り替えられる。これにより、バッテリ５１の充電中に電源スイッチ２１がオン操作された場合に発生する動作不良の問題を回避して、バッテリ５１の充電動作を安定して行うことができる。
【００５６】
なお、上記実施形態では、オーディオプレーヤ１０とヘッドセット２０とを無線接続して、オーディオプレーヤ１０からヘッドセット２０へオーディオデータを送信する無線通信システムを想定して説明したが、本発明はこれに限るものではなく、充電可能なバッテリで駆動される電子機器を用いて無線通信を行うシステムであれば適用可能である。
【００５７】
また、各機器間に無線通信に用いられる方式としても、Ｂｌｕｅｔｏｏｔｈ（Ｒ）に限るものではなく、他の無線通信方式であっても良い。
【００５８】
要するに、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００５９】
【発明の効果】
以上詳記したように本発明によれば、バッテリの充電動作を簡単かつ安定して行うことができる。
【図面の簡単な説明】
【図１】本発明の一実施形態に係る電子機器を用いた無線通信システムの構成を示す図。
【図２】上記無線通信システムに用いられるヘッドセットの内部構成を示すブロック図。
【図３】上記ヘッドセットにおけるバッテリ充電時の動作を示すフローチャート。
【図４】上記ヘッドセットにおけるバッテリ充電中に電源スイッチが押された場合の動作を示すフローチャート。
【符号の説明】
１０…オーディオプレーヤ、２０…ヘッドセット、２１…電源スイッチ、２６…通信スイッチ、２０１…ヘッドアーム、２０２，２０３…パッド、２０４…マイクユニット、２０５…電源コネクタ、３１…システム制御部、３２…送信データ生成部、３３…無線通信デバイス、３４…オーディオデータ記憶部、３５…ステータスデータベース、５１…バッテリ、５２…バッテリ充電回路、５３…電源ケーブル、５４…ＣＰＵ、５５…バッテリ状態検出部、５６…電源コネクタ状態検出部、５７…スイッチ状態検出部、５８…無線通信デバイス、５９…メモリ、６０…ＡＤ／ＤＡ変換・アンプ回路、６１…スピーカ、６２…マイク。
【図１】
2004236463.tif 000003
【図２】
2004236463.tif 000004
【図３】
2004236463.tif 000005
【図４】
2004236463.tif 000006